(57)【要約】【課題】天板の裏面にヒンジで折り畳み可能に取り付けられた脚体を伸ばした状態に固定するための固定装置において、強固な固定状態が得られるようにする。【解決手段】脚体１３間に架設された横架材１３ａを天板１２方向に押さえ込む押圧板３１を揺動可能に保持した折り畳み脚固定装置において、押圧板３１の遊端部には、脚体１３を伸ばした状態のときに横架材１３ａに係合して横架材１３ａを押さえ込む係合部３４が形成される。そして、この係合部３４と、上記横架材１３ａにおける係合部３４に対向する部位との相互間に、脚体１３を伸ばしたときに相互に嵌合して横架材１３ａの長さ方向及び幅方向での位置ずれを防止する位置決め用嵌合構造としての嵌合穴３５と嵌合凸部３６が形成された折り畳み脚の固定装置２１。【選択図】図３
2008229326.tif 000002
【特許請求の範囲】
【請求項１】
天板の裏面に枢着され脚体を伸ばした状態に固定すべく、脚体間に架設された横架材を天板方向に押さえ込む押圧板を揺動可能に保持した折り畳み脚固定装置であって、
上記押圧板の遊端部には、脚体を伸ばした状態のときに上記横架材に係合して横架材を押さえ込む係合部が形成され、
該係合部と、上記横架材における係合部に対向する部位との相互間に、脚体を伸ばしたときに相互に嵌合して横架材の長さ方向及び幅方向での位置ずれを防止する位置決め用嵌合構造が形成された
折り畳み脚固定装置。
【請求項２】
前記位置決め用嵌合構造の一方側が、係合部が係合する部位に形成された位置決め用凸部である
請求項１に記載の折り畳み脚固定構造。
【請求項３】
前記横架材に補助金具が被覆固定され、
該補助金具に、前記位置決め用凸部が設けられた
請求項２に記載の折り畳み脚固定構造。
【請求項４】
前記係合部と、前記横架材における係合部に対向する部位との相互間に、脚体を折り畳んだ状態から伸ばした状態、また伸ばした状態から折り畳んだ状態にするときに相互に嵌合して横架材の長さ方向での位置ずれを防止するとともに横架材の回動を許容する規制用嵌合構造が形成された
請求項１から請求項３のうちのいずれか一項に記載の折り畳み脚固定装置。
【請求項５】
前記規制用嵌合構造の一方が、前記係合部の幅方向の両側を挟む部位に形成された２本の規制用凸部である
請求項４に記載の折り畳み脚固定構造。
【請求項６】
前記横架材に補助金具が被覆固定され、
該補助金具に、前記規制用凸部が設けられた
請求項５に記載の折り畳み脚固定構造。
【発明の詳細な説明】
【技術分野】
【０００１】
この発明は、たとえば座卓や宴会用テーブルなどに用いられ、天板の裏面に枢着された折り畳み可能な脚体を伸ばした状態に固定する折り畳み脚固定装置に関する。
【背景技術】
【０００２】
座卓等における折り畳み脚固定構造には様々あるが、座卓等が木製の場合には、下記特許文献１に開示されているような揺動部材を用いた構造がある。
【０００３】
揺動部材は、長さ方向の一端側が天板の裏面に枢着され揺動可能に保持されたもので、この揺動部材が、脚を伸ばした時（起立時）と脚を折り畳んだ時（倒伏時）に、脚間に設けられた桟を付勢体の付勢力で押圧してロックするという構成である。なお、脚は、天板に対して蝶番のみで枢着されている。
【０００４】
しかし、この構成では、起立時のロックは、揺動部材の一部が桟をその幅方向で挟むだけで行われる。つまり、揺動部材と桟は、桟の長さ方向では移動可能であり、起立状態の脚が揺動部材によっては完全に位置決めできない状態である。このため、たとえば使用者が天板に手をついて立ち上がろうとした場合など、天板に斜め方向から力がかかると、揺動部材と桟は、桟の長さ方向で位置ずれする。この結果、主に使用中の安定性がよくなく、その上、脚の枢着部分に掛かる負荷が大きくなる。
【０００５】
また、起立状態から倒伏状態、またその逆の動作をするときに、桟と揺動部材との位置関係を規制する構成がない。このため、脚を伸ばしたり折り畳んだりする作業時に脚や揺動部材に対して捩れなどの力がかかると、その力をそれぞれが単独で支持しなければならず、蝶番等の特定部分に過負荷がかかりやすく、耐久性の点で問題があった。
【特許文献１】実公平６−２２２６０号公報
【発明の開示】
【発明が解決しようとする課題】
【０００６】
そこで、この発明は、脚体の安定性や耐久性を向上することを主たる課題とする。
【課題を解決するための手段】
【０００７】
そのための手段は、天板の裏面に枢着され脚体を伸ばした状態に固定すべく、脚体間に架設された横架材を天板方向に押さえ込む押圧板を揺動可能に保持した折り畳み脚固定装置であって、上記押圧板の遊端部には、脚体を伸ばした状態のときに上記横架材に係合して横架材を押さえ込む係合部が形成され、該係合部と、上記横架材における係合部に対向する部位との相互間に、脚体を伸ばしたときに相互に嵌合して横架材の長さ方向及び幅方向での位置ずれを防止する位置決め用嵌合構造が形成された折り畳み脚固定装置である。
【０００８】
すなわち、押圧板の係合部が横架材に係合すると相互間の位置決め嵌合構造によって横架材の長さ方向と幅方向での位置関係が固定される。このため、脚体を伸ばしたときに押圧板の係合部と脚体の横架材とが所定の位置関係を保つことができるので、使用時の安定性が良好である。また、使用中に天板に斜めから力がかかった場合でも、荷重は押圧板によっても支えることができるため、負荷を分散して、脚体の付け根部分に過大な負荷がかからないようにすることができる。
【０００９】
また、上記位置決め用嵌合構造に加えて、押圧板の係合部と、脚体の横架材における係合部に対向する部位との相互間に、脚体を折り畳んだ状態から伸ばした状態、また伸ばした状態から折り畳んだ状態にするときに相互に嵌合して横架材の長さ方向での位置ずれを防止するとともに横架材の回動を許容する規制用嵌合構造を設けると、脚体を伸ばしたり折り畳んだりする操作時に、横架材の長さ方向でのずれである不要な動きを規制できる。このため、脚体に対して不測に捩れの力がかかった場合でも、その負荷を緩和することが可能である。
【発明の効果】
【００１０】
以上のように、この発明によれば、使用時における脚体の固定状態を強固にすることができ、安定性や耐久性を向上できる。
【発明を実施するための最良の形態】
【００１１】
この発明を実施するための一形態を、以下図面を用いて説明する。  
図１は、宴会用テーブル１１の斜視図であり、図２は宴会用テーブル１１を裏面側から見た状態を示している。
【００１２】
これらの図に示すように、宴会用テーブル１１は、天板１２と、天板１２の裏面に折り畳み可能に備えられた４本の脚体１３…と、脚体１３…を伸ばした状態と折り畳んだ状態とに固定する固定装置２１とを有する。
【００１３】
天板１２と脚体１３…は木製で、脚体１３…は、天板１２の裏面に対してヒンジ１４で固定されている。なお、図１、図２に仮想線で示したように、上記脚体１３とは長さの異なる別の脚体１５…を折り畳み可能に備えることで、１個の宴会用テーブル１１でありながらも座敷に直接座って使用する使用態様と、椅子に座って使用する使用態様とを選択することができるようになる。
【００１４】
また、４本の脚体１３…は２本ずつ、２本の横架材１３ａ，１３ｂで連結され、一体化されている。横架材１３ａ，１３ｂは、脚体１３の付け根部分と先端側部分に固定される。このため、脚体１３を伸ばしたり折り畳んだりするときに、脚体１３の付け根部分の横架材１３ａはヒンジ１４を中心に回動する。以下、「横架材」というとき、脚体１３の付け根部分の横架材１３ａを意味するものとする。
【００１５】
固定装置２１は、その横架材１３ａを固定するとことで、上記のように脚体１３伸ばした状態と折り畳んだ状態とに固定する。図３が、脚体１３を伸ばした状態で固定しているときの断面図で、図４が脚体１３を折り畳んだ状態で固定しているときの断面図である。このように、脚体１３を伸ばした状態にする固定は、天板１２の裏面に設けられた押圧板３１で脚体１３の付け根部分に架設された横架材１３ａを押えて行う。また脚体１３を折り畳んだ状態にする固定は、上記押圧板３１で横架材１３ａを押えることに加え、横架材１３ａを拘束することにより行う。
【００１６】
上記押圧板２２は、図５にも示したように平面視略短冊状をなし、下面の略全体が開口した薄箱状で、長さ方向の中間から一方（後方）に偏らせた部位が枢着保持されている。枢着は、天板１２の裏面に固定される保持金具４１で行う。保持金具４１は、天板１２の裏面に重合する基板４２から平行な２枚の支持板４３，４３を起立させた構造で、この支持板４３，４３の間に、押圧板３１が挟まれた状態で枢着される。なお、保持金具４１は天板１２に対して木ねじ４４で固定されるが、この固定が所定位置に正確に行えるようにすべく、基板４２における木ねじ４４螺合位置の一部には、図６に示したように下方に突出する短円筒状の刺入突起４５が形成される。刺入突起４５はバーリングによって形成できる。刺入突起４５は、木ねじ４４による固定に先立って天板１２に打ち込まれ、天板１２に対する位置を確定する。このため、木ねじ４４による固定作業に際して不測に位置ずれを起すことがなく、適正位置での固定が可能である。
【００１７】
押圧板３１の枢着部３２よりも一方（後方）側の部分は、押圧板３１を起す時に押下する押下部３３であり、押下しやすくするとともに押下時に天板１２に当たらないようにする目的で、押下部３３は枢着部３２より前方側の部分に対して若干反り返る方向に傾けて連設されている。
【００１８】
また、押圧板３１の枢着部３２よりも他方（前方または遊端）側の部位と、上記保持金具４１の基板４２との間には、押圧板３１の先端側を天板１２に向けて付勢する２本のばね４６，４６が張架されている。
【００１９】
押圧板３１の遊端部は、脚体１３を伸ばした状態のときに上記横架材１３ａに係合して横架材１３ａを押さえ込む係合部３４であり、図３に示したように、係合部３４側を斜め上に向けた状態で方形断面の横架材１３ａに係合できるように、横架材１３ａの下面１３ｃ（図３においては上側の面）に重合する重合板３４ａと、重合板３４ａの先端から鈍角の角度をつけて垂下される垂下片３４ｂとを有している。また、垂下片３４ｂと対向する側には、重合板３４ａと直角をなし、横架材１３ａに対する係合時に横架材１３ａの側面に当接する当接板３４ｃを有する。当接板３４ｃは、押圧板３１の側面に形成された側面板３１ａから延設されている。
【００２０】
そして、上記係合部３４の重合板３３ａには、図３、図５、図７に示したように、長円形の嵌合穴３５が形成されている。
【００２１】
この嵌合穴３５は、脚体１３を伸ばしたときに横架材１３ａと嵌合して、相互間における横架材１３ａの長さ方向及び幅方向での位置ずれを防止する位置決め用嵌合構造の一部である。
【００２２】
嵌合穴３５が嵌合する部分は横架材１３ａに設けられる。すなわち図７に示したように、横架材１３ａの下面１３ｃから突出する嵌合凸部３６が形成される。嵌合凸部３６の形成は、金属製の補助金具５１の固定により行う。補助金具５１は、横架材１３ａの下面１３ｃとこれに連続する両側面に被覆可能な断面コ字形で、横架材１３ａの下面１３ｃに重なる部分である中間面部５２に、上記嵌合穴３５に嵌合する平面視長円形の短筒状の上記嵌合凸部３６が形成されている。
【００２３】
補助金具５１には嵌合凸部３６のほかに、脚体１３を折り畳んだ状態から伸ばした状態、また伸ばした状態から折り畳んだ状態にするときに相互に嵌合して横架材１３ａの長さ方向での位置ずれを防止するとともに横架材１３ａの回動を許容する規制用嵌合構造の一部が形成されている。
【００２４】
すなわち、図７に仮想線で示したように薄箱状をなす押圧板３１の両側縁を挟むとともに、係合部３４が係合したときにはその両側縁を挟む部位に、２本の規制用凸条５３，５３が形成されている。これら規制用凸条５３，５３は、補助金具５１の中間面部５２のほか、これに連設された側面部５４，５４にも、全体にわたって形成されている。規制用凸条５３，５３は、プレスにより膨出させて形成できる。このような規制用凸条５３，５３を有するので、規制用嵌合構造の相手方には、特別な構造を設けずとも、規制用嵌合構造が構成できる。規制用凸条５３，５３の相手方は、押圧板３１における遊端側の下面である。
【００２５】
また、補助金具５１には、脚体１３を伸ばしたときに天板１２から離間する一方、脚体１３を折り畳んだときに天板１２に近接する２本の突起部５５，５５が設けられる。これらの突起部５５，５５は、脚体１３を折り畳んだ状態に固定するのに使用されるもので、補助金具５１の横架材１３ａに対する固定と同時に形成できるように構成されている。
【００２６】
すなわち、図８に示したように、補助金具５１における突起部５５，５５を形成すべき長さ方向の両端側の２箇所に、下からのバーリングにより短円筒状の筒状突部５６が形成されている。筒状突部５６は、固定のための木ねじ５７を螺合できる大きさである。そして、突起部５５となる突起部担体５５ａは、適宜長さの円筒状に形成され、この下端部の内周面には、下端部より上側の部分よりも大径であって筒状突部５６に嵌合する端部５５ｂが形成されている。
【００２７】
突起部５５の形成と補助金具５１の固定は、まず、横架材１３ａの所定位置に補助金具５１を被覆した後、筒状突部５６に対して突起部担体５５ａを被覆する。突起部担体５５ａの段部５５ｂが筒状突部５６に上から嵌まるので、突起部担体５５ａの中心が決まる。この状態で木ねじ５７を螺合するので、木ねじ５７の螺合操作時に、力加減やドライバ等の回転治具の影響で曲がりやすい木ねじ５７の螺合位置を適正な位置に規制することができる。この結果、補助金具５１を正しい位置に固定できるうえに、突起部５５，５５の位置も正しくなる。また、段部５５ｂが筒状突部５６に嵌合しているので、不測に受ける衝撃に対しても強い。
【００２８】
なお、段部５５ｂに代えて、図９に示したように、円錐状をなす逆テーパ面５５ｃであるもよい。この場合も、突起部担体５５ａの逆テーパ面５５ｂが環状突部５６に上から嵌まるので、突起部担体５５ａの中心が決まり、木ねじ５７の螺合位置を適正な位置に規制することができ、上記と同様のメリットが得られる。
【００２９】
このような突起部５５は、図７に仮想線で示したように脚体１３を折り畳んで突起部５５，５５を天板１２に近接させたときに、天板１２の裏面に固定された固定金具６１で拘束されて脚体１３を折り畳んだ状態が固定される。
【００３０】
固定金具６１は、図１０に示したように、本体金具６２とスライド金具６３とで構成される。  
本体金具６２は、側面視Ｌ字形に形成され、天板１２に固定する固定片６２ａには、固定のための貫通孔６４が形成されている。
【００３１】
一方、固定片６２ａの端から直角に起立する起立片６２ｂの長さ方向の両側には、上記２本の突起部５５，５５と同じ間隔で離れるの２個の切り欠き、すなわち突起部５５を収容する収容部６５が形成される。収容部６５は、突起部５５の断面が円形であるのでＵ字状である。また、各収容部６５，６５の近傍には、上記スライド金具６３をスライド可能に固定するための透孔６２ｃが形成され、収容部６５，６５間の位置には、長さ方向に所定間隔を隔てて離れる凹部６２ｄ，６２ｄが形成されている。
【００３２】
スライド金具６３は、本体金具６２の起立片６２ｂにスライド可能に重合されるもので、起立片６２ｂよりも長い略短冊状に形成され、両端には、操作用のつまみ６３ａ，６３ａが折曲により形成されている。そして、スライド金具６３を本体金具６２に対して一方（図７における左側）に寄せた時に本体金具６２の収容部６５に重合する位置から、正面視略Ｌ字形の切欠部６６が形成されている。この切欠部６６は、スライド金具６３を本体金具６２に対して他方（図７における右側）に寄せるときに時に、このスライド動作を可能とする大きさであり、スライドを行ったときに、図１１に示したように、上側で水平方向に延びる突片部分が、収容部６６に収容された突起部５５を拘束する。すなわち、上記の突片部分が、収容部６６の入口を選択的に開閉して収容部６６に収容された突起部５５を拘束する拘束部６７である。
【００３３】
また、スライド金具６３における本体金具６２の透孔６２ｃに対応する部位には長孔６３ｂが形成され、本体金具６２の２個の凹部６２ｄに対応する部位には、位置決めの節度を得るための板ばね６８が本体金具６２側に突出するように保持されている。スライド金具６３の本体金具６２に対する固定は、段付きのリベット６９で行う。
【００３４】
このような固定金具６１は、脚体１３を折り畳んだときに突起部５５を拘束できるようにする天板１２上の所定の位置に、横架材１３ａの寸法や取り付け位置などの諸条件に基づいて固定される。なお、図面上、固定金具６１の本体金具６２は、押圧板３１を枢着保持する保持金具４１とは別部材であるように表現したが、保持金具４１と一体に形成することもできる。
【００３５】
以上のようにして構成された固定装置２１を有する宴会用テーブル１１では、脚体１３は、伸ばした時と折り畳んだ時に次のように固定がなされる。
【００３６】
図７に仮想線で示したような折り畳み状態にある脚体１３を伸ばすには、押圧板３１の押下部３３を上から押えて押圧板３１の係合部３４を付勢力に抗して持ち上げながら、脚体１３を起せばよい。すると脚体１３の横架材１３ａは回動する。このときに、図１２に示した如く、押圧板３１は規制用凸条５３，５３によって横架材１３ａの長さ方向での移動を規制される。そして脚体１３を完全に起すと、付勢力により押圧板３１の係合部３４が横架材１３ａに対して自動的に係合し、付勢力と係合とによって固定される。このとき、係合部３４の垂下片３４ｂは重合板３４ａに対して鈍角に設けられているので、係合部３４の横架材１３ａに対する係合が円滑に行われる。
【００３７】
また、この係合時に、位置決め用嵌合構造である係合部３４の嵌合穴３５と横架材１３ａの嵌合凸部３６との相互の嵌合により、横架材１３ａの長さ方向はもちろんのこと幅方向においての位置ずれも防止され、確実な位置決めがなされる。
【００３８】
このため、脚体１３が伸びた使用状態において、安定性が良好である。また、使用中に天板１２に斜めから力がかかった場合でも、脚体１３に対してかかった荷重は横架材１３ａを通じて押圧板３１によっても支えることができるため、負荷を分散することが可能である。この結果、脚体１３の付け根部分に過大な負荷がかからないようにすることができ、強度を高めることができる。
【００３９】
また、横架材１３ａには、上記のように脚体１３を起す時にガイド機能を果たす規制用嵌合構造の一方側である規制用凸条５３，５３を有し、この規制用凸条５３，５３が押圧板３１の下面と嵌合し合って引き起し操作時の位置ずれを防止するので、引き起し操作時に脚体１３に対して不測に捩れの力がかかった場合でも、その負荷を緩和することが可能である。  
この作用効果は、脚体１３を折り畳む操作をするときも同様である。
【００４０】
このように、脚体１３を伸ばした使用時における脚体１３の固定状態を強固にすることができ、安定性や耐久性を向上できるとともに、脚体１３の引き起しや傾倒の操作によって不測に故障が発生するような不都合も回避できる。
【００４１】
上記とは逆に、脚体１３を折り畳むときには、固定金具６１のスライド金具６３をスライドさせて収容部６５を開放する。ついで、押圧板３１の押下部３３を押し下げて係合部３４の横架材１３ａに対する係合を外してから、脚体１３を傾倒する。そして脚体１３を完全に倒すと、横架材１３ａの突起部５５，５５が固定金具６１の収容部６５に収まる。このとき、押圧板３１は付勢力により天板１２側に回動しようとするので、横架材１３ａは天板１２に向けて押さえつけられることになる。この後、スライド金具６３をスライドさせて収容部６５を閉じると、図１１に示したように突起部５５，５５が拘束され、押圧板３１による押さえつけと相俟って、固定状態が維持される。
【００４２】
突起部５５，５５が固定金具６１により固定されるので、ばねなどの付勢手段で押さえつけることによって折り畳み状態を保持する場合とは異なり、外力がかかっても揺らぐことのない強固な固定状態を得られる。
【００４３】
この結果、脚体１３が長くても、脚体１３が自重で垂れ下がるようなことを防止でき、運搬等の取り扱いを容易にすることができる。また、短い脚体と長い脚体を備えた場合において、短い脚体を伸ばして使用しているときに、長い脚対が垂れ下がることはなく、宴会用テーブル１１を良好に、また体裁よく使用できる。
【００４４】
そのうえ、脚体３１を枢着する構造に、折り畳み状態を固定するための構造を包含させる必要がないので、操作を簡単にすることが可能である。また、脚体１３の枢着はヒンジ１４のみで行え、全体の構成を簡素にすることができる。
【００４５】
以下、押圧板３１の他の例について説明する。この説明において、先の構成と同一または同等の部位については同一の符号を付してその詳しい説明を省略する。
【００４６】
図１３は、押下部３３の押し下げによる他に、係合部３４側を引き上げることでも係合部３４の係合を外せるようにした押圧板３１を示す断面図である。  
すなわち、係合部３４の先端の垂下片３４ｂの下端から重合板３４ａと平行に、引き上げ用突片３４ｄが延設されている。この引き上げ用突片３４ｄは、垂下片３４ｂの幅寸法によるが、たとえば図１４（ａ）に示したように、垂下片３４ｂの幅方向の一部に形成すれば足りる。また、図１４（ｂ）に示したように垂下片３４ｂの一部を切り起こして形成することもできる。
【００４７】
このような構成では、押圧板３１の押し下げによっても引き上げによっても係合部３４の係合解除が可能である。このため、状況に応じて容易な係合解除操作を選択でき、使用しやすい。
【００４８】
図１５は、引き上げのみで係合部３４の係合を解除できる押圧板３１の例を示す断面図である。すなわち、係合部３４には、図１３、図１４に示したような引き上げ用突片３４ｄが形成され、係合部３４と反対側の基端側の端部が枢着部３２に設定されている。
【００４９】
この発明の構成と、上記一形態の構成との対応において、  
この発明の横架材は、上記一形態における横架材１３ａに対応し、  
以下同様に、  
位置決め用嵌合構造は、嵌合穴３５と嵌合凸部３６に対応し、  
位置決め用嵌合構造の一方側は、嵌合凸部３６に対応し、  
位置決め用凸部は、嵌合凸部３６に対応し、  
規制用嵌合構造は、規制用凸条５３と押圧板３１の下面に対応し、  
規制用嵌合構造の一方側は、規制用凸条５３に対応し、  
折り畳み脚固定装置は、固定装置２１に対応するも、  
この発明は、上記の構成のみに限定されるものではなく、その他の形態を採用することもできる。
【００５０】
たとえば、位置決め用嵌合構造の一方側は、横架材を削るなどして形成した凹みで構成することができる。
【００５１】
また、突起部は、補助金具に対してピンをカシメ等により固定して設けることができる。たとえば脚体の側面等に直接設けることも可能である。
【００５２】
さらに、補助金具は釘等により固定するもよい。
【図面の簡単な説明】
【００５３】
【図１】宴会用テーブルの斜視図。
【図２】宴会用テーブルの底面図。
【図３】脚体を伸ばした状態の固定装置の断面図。
【図４】脚体を折り畳んだ状態の固定装置の側面図。
【図５】固定装置の一部の平面図。
【図６】保持金具の一部の拡大断面図。
【図７】固定装置の要部の斜視図。
【図８】固定装置の一部の分解斜視図。
【図９】固定装置の一部について他の例を示す分解斜視図。
【図１０】固定金具の分解斜視図。
【図１１】固定装置の要部の斜視図。
【図１２】作用状態の断面図。
【図１３】他の例に係る脚体を伸ばした状態の固定装置の断面図。
【図１４】他の例に係る係合部の斜視図。
【図１５】他の例に係る脚体を伸ばした状態の固定装置の断面図。
【符号の説明】
【００５４】
１２…天板
１３…脚体
１３ａ…横架材
２１…固定装置
３１…押圧板
３４…係合部
３５…嵌合穴
３６…嵌合凸部
５１…補助金具
５３…規制用凸条
５５…突起部
５５ａ…突起部担体
５５ｂ…段部
５５ｃ…逆テーパ面
５６…筒状突部
６１…固定金具
６５…収容部
６７…拘束部
【図１】
2008229326.tif 000003
【図２】
2008229326.tif 000004
【図３】
2008229326.tif 000005
【図４】
2008229326.tif 000006
【図５】
2008229326.tif 000007
【図６】
2008229326.tif 000008
【図７】
2008229326.tif 000009
【図８】
2008229326.tif 000010
【図９】
2008229326.tif 000011
【図１０】
2008229326.tif 000012
【図１１】
2008229326.tif 000013
【図１２】
2008229326.tif 000014
【図１３】
2008229326.tif 000015
【図１４】
2008229326.tif 000016
【図１５】
2008229326.tif 000017